(57)【要約】【課題】ガス利用者宅の回線設備に左右されることなく、安定して集中監視を行うことができるようにする。【解決手段】ＸＤＳＬ用通信アダプタ１０は、回線網制御装置２０のモデム２３の屋内側で、かつ交換局側から入力したＸＤＳＬ帯域信号との合流点Ｊの交換局側に信号制限手段１８を備える。信号制限手段１８は、ダイオード等により構成されており、所定の電圧以下の信号の通過を制限する。すなわち、回線網制御装置２０の動作によって使用される音声帯域信号は、信号制限手段１８を通過することはなく、屋内側に漏れて屋内のＬＰＦ４２により共振が起こることを防止することができる。このようにして、音声帯域におけるデータ通信の品質を向上させることができる。【選択図】　　　　図１
2004096669.tif 000002
【特許請求の範囲】
【請求項１】
電話回線の保安器と屋内配線との間に設置されるＸＤＳＬ用通信アダプタであって、ＸＤＳＬ通信用のＸＤＳＬ信号と音声帯域信号とが混在した混在信号の入出力が可能な保安器側及び屋内側の混在信号入出力部と、前記保安器側または屋内側の混在信号入出力部から入力した混在信号を前記ＸＤＳＬ信号と前記音声帯域信号とに分離するとともに、該分離されたＸＤＳＬ信号と音声帯域信号とを結合して他方の混在信号入出力部に出力する分離結合手段と、前記保安器側または屋内側の混在信号入出力部から入力され前記分離結合手段により分離された音声帯域信号を出力するとともに、前記分離結合手段で結合させる音声帯域信号を入力する保安器側及び屋内側の音声帯域信号入出力部とを有するＸＤＳＬ用通信アダプタにおいて、前記分離結合手段と前記屋内側の音声帯域信号入出力部との間の信号路上に、所定電圧以下における音声帯域信号の通過を制限する信号制限手段を設けたことを特徴とするＸＤＳＬ用通信アダプタ。
【請求項２】
前記分離結合手段は、２つのＬＰＦと、１つのＨＰＦとにより構成され、前記保安器側の混在信号入出力部と前記屋内側の混在信号入出力部は、前記ＨＰＦを介して接続され、前記保安器側の混在信号入出力部と前記保安器側の音声信号入出力部は第１の前記ＬＰＦを介して接続され、前記屋内側の混在信号入出力部と前記屋内側の音声信号入出力部は、第２の前記ＬＰＦと前記信号制限手段とを介して接続されていることを特徴とする請求項１に記載のＸＤＳＬ用通信アダプタ。
【請求項３】
前記保安器側及び屋内側の混在信号入出力部と、前記保安器側及び屋内側の音声信号入出力部と、前記分離結合手段とを結ぶ信号線は、それぞれ２本の信号線であって、前記信号制限手段をダイオードまたはバリスタまたはトランジスタを用いて構成し、前記分離結合手段と該屋内側の音声信号入出力部とを結ぶ、２本の信号線のいずれか一方、または両方に、前記信号制限手段のダイオードまたはバリスタまたはトランジスタを設けたことを特徴とする請求項１または２記載のＸＤＳＬ用通信アダプタ。
【請求項４】
前記信号制限手段は、ノーリンギング通信に使用される最大信号レベル（０ｄＢｍ）の通過を制限するものであることを特徴とする請求項１ないし３のいずれか１に記載のＸＤＳＬ用通信アダプタ。
【請求項５】
前記保安器側及び屋内側の混在信号入出力部と、前記分離結合手段と、前記保安器側及び屋内側の音声帯域信号入出力部と、前記信号制限手段とは、１つの防滴ケースに収納されていることを特徴とする請求項１ないし４のいずれか１に記載のＸＤＳＬ用通信アダプタ。
【請求項６】
ＸＤＳＬ通信用のＸＤＳＬ信号と音声帯域信号とが混在した混在信号が利用される電話回線の保安器と屋内配線の間に設置される回線網制御装置の屋外配線方法であって、
前記電話回線の保安器と屋内配線の間に前記混在信号をＸＤＳＬ信号と音声帯域信号とに分離し、且つ該分離したＸＤＳＬ信号と音声帯域信号を結合する分離結合手段を接続し、該分離結合手段により分離された音声帯域信号の信号線に対して前記回線網制御装置を接続し、該信号線の前記回線網制御装置より屋内配線側で、且つ前記分離結合手段より保安器側に所定電圧以下の音声帯域信号の通過を制限する信号制限手段を接続してなることを特徴とする回線網制御装置の屋外配線方法。
【請求項７】
請求項１ないし５のいずれか１に記載のＸＤＳＬ通信アダプタと，回線網制御装置とを有し、該ＸＤＳＬ用通信アダプタの前記保安器側及び屋内側音声帯域信号入出力部に前記回線網制御装置を接続することにより、屋内側の混在信号入出力部に接続される機器における音声帯域信号とＸＤＳＬ信号の利用を可能とするとともに、電話回線を介して該回線網制御装置に接続する機器の遠隔監視を可能とすることを特徴とする遠隔監視システム。
【請求項８】
請求項７に記載の遠隔監視システムと、ガスメータとを有し、ガスの保安、検針に係わる管理を遠隔で可能とすることを特徴とするガス保安検針用システム。
【発明の詳細な説明】
【０００１】
【発明の属する技術分野】
本発明は、ＸＤＳＬ通信用アダプタ、回線網制御装置の屋外配線方法、遠隔監視システム、及びガス保安検針用システムに関し、より詳細には、メータ及びセンサ等の端末を接続するとともにＡＤＳＬを代表とするＸＤＳＬ通信網を介して回線網制御装置と監視センタとの通信を音声帯域で行うためのＸＤＳＬ用通信アダプタと、回線制御装置の配線方法及びＸＤＳＬ用通信アダプタを用いたシステムに関するものである。
【０００２】
【従来の技術】
従来、ガスメータ等を遠隔から監視し、遠隔検針や遠隔安全監視を行ういわゆる集中監視が実施されている。このようなガスメータの集中監視においては、ガス利用者宅に回線網制御装置を設置し、アナログ公衆回線を通じて監視センタにより集中監視を行っている。その際、回線網制御装置は、主に屋外設置されているガスメータ等との接続を鑑みて、監視センタからみて保安器以降であって屋内配線以前の屋外に設置されることが多い。このように、設置することにより、ガスメータ、回線網制御装置の接続線を屋内に引き込むための工事を省略することができ、ユーザが自宅不在時であっても工事を行うことができるため、工事性が良いという利点がある。
【０００３】
近年、既存のメタリック回線を利用して高速データ通信を実現するＸＤＳＬ（Ｘ　Ｄｉｇｉｔａｌ　Ｓｕｂｓｃｒｉｂｅｒ　Ｌｉｎｅ）通信が普及している。ＸＤＳＬは、代表的なＡＤＳＬに加えてその派生的技術であるＲＡＤＳＬ、ＨＤＳＬ、ＶＤＳＬなどを総称するものである。アナログ公衆回線において、ＸＤＳＬ通信契約、例えばＡＤＳＬ通信契約がなされている場合、従来のように回線網制御装置を設置すると、ＡＤＳＬ帯域信号の影響により回線網制御装置の通信機能に不具合が発生してしまい、ＡＤＳＬ帯域信号が回線網制御装置を通過することによってＡＤＳＬ通信を妨害してしまうという不具合が発生してしまう。
【０００４】
このような場合、屋内のＡＤＳＬスプリッタ以降の音声帯域配線に回線網制御装置を接続することによって、上記不具合を回避することが可能であるが、通常被監視機器であるガスメータ等は主に屋外に設置されているので、新たに回線網制御装置とガスメータ等との配線を屋内に引き込まなければならず工事性が悪い。そこで、本出願人は、そのような不具合を回避するために、一度屋外にて音声帯域信号とＸＤＳＬ帯域信号とを分離して、分離した音声帯域信号の配線に回線網制御装置を接続する通信アダプタを提案した。
【０００５】
図９は、本願の出願人が提案した通信アダプタの構成を説明するための図である。ＸＤＳＬ通信アダプタ１０は、１つのＨＰＦ（ハイパスフィルタ）１５と、２つのＬＰＦ（ローパスフィルタ）１６，１７によって構成される。２つのＬＰＦ１６，１７は、回線網制御装置２０の前後の信号路上に配置される。保安器８０側から入力する入力信号と、スプリッタ（ＰＯＴＳスプリッタ）４０側から入力する入力信号は、ＸＤＳＬ通信アダプタ１０の内部でＨＰＦ１５と一方のＬＰＦ１６，１７とに入力され、各フィルタの特性に従って所定の波長帯域の信号が出力される。すなわち、ＬＰＦ１６，１７からは音声帯域信号が出力され、ＨＰＦ１５からはＸＤＳＬ帯域信号が出力される。すなわち、ＨＰＦ１５とＬＰＦ１６，１７とこれらを接続する配線によって、混在信号を分離して再結合する分離結合手段が構成される。
【０００６】
上記のごとくの構成により、音声帯域信号とＸＤＳＬ帯域信号が混在した混在信号において、ＸＤＳＬ帯域信号は、ＨＰＦ１５の作用によって保安器８０とスプリッタ４０との間で回線網制御装置２０を経由することなく通過するため、回線網制御装置２０の動作・非動作に係わらず、例えば、スプリッタ４０に接続されたＸＤＳＬモデム５０及びＰＣ端末７０により、ＸＤＳＬデータ通信を実行することができる。また、音声帯域信号は、保安器８０とスプリッタ４０との間で回線網制御装置２０を経由して通過することになる。従って、回線網制御装置２０は、公衆回線網との通信が可能となる。また回線網制御装置２０が使用されていないときには、スプリッタ４０の下流側に配された電話機６０等を使用することができる。
【０００７】
上記のような構成によると、回線網制御装置２０に接続される音声帯域信号路は、ＸＤＳＬ帯域信号路と完全に分離されているので、ＸＤＳＬ帯域信号が回線網制御装置２０の通信を妨害することはなく、且つＸＤＳＬ帯域信号は回線網制御装置２０を通過しないため、ＸＤＳＬ通信を妨害することもない。
【０００８】
【発明が解決しようとする課題】
しかし、上記のごとくの従来の技術にあっても、一部の設置現場において、ノーリンギング着信の際、音声帯域通信の一部で通信の不具合が発生し、回線網制御装置２０がノーリンギング通信を利用するときに通信不良となった。出願人の調査の結果、屋内に設置されているスプリッタ４０のうち、一部のスプリッタにおいて、屋内電話機がオンフックのときに、スプリッタ４０のＬＰＦ４２が、ノーリンギングの音声帯域に悪影響を及ぼす可能性があることを確認した。
【０００９】
本発明は上述のような実情を鑑みてなされたもので、ガス利用者宅の回線設備に左右されることなく、安定して集中監視を行うことができるＸＤＳＬ用通信アダプタ、回線網制御装置の屋外配線方法、遠隔監視システム、及びガス保安検針用システムを提供することを目的とするものである。
【００１０】
【課題を解決するための手段】
請求項１の発明は、電話回線の保安器と屋内配線との間に設置されるＸＤＳＬ用通信アダプタであって、ＸＤＳＬ通信用のＸＤＳＬ信号と音声帯域信号とが混在した混在信号の入出力が可能な保安器側及び屋内側の混在信号入出力部と、前記保安器側または屋内側の混在信号入出力部から入力した混在信号を前記ＸＤＳＬ信号と前記音声帯域信号とに分離するとともに、該分離されたＸＤＳＬ信号と音声帯域信号とを結合して他方の混在信号入出力部に出力する分離結合手段と、前記保安器側または屋内側の混在信号入出力部から入力され前記分離結合手段により分離された音声帯域信号を出力するとともに、前記分離結合手段で結合させる音声帯域信号を入力する保安器側及び屋内側の音声帯域信号入出力部とを有するＸＤＳＬ用通信アダプタにおいて、前記分離結合手段と前記屋内側の音声帯域信号入出力部との間の信号路上に、所定電圧以下における音声帯域信号の通過を制限する信号制限手段を設けたことを特徴としたものである。
【００１１】
請求項２の発明は、請求項１の発明において、前記分離結合手段は、２つのＬＰＦと、１つのＨＰＦとにより構成され、前記保安器側の混在信号入出力部と前記屋内側の混在信号入出力部は、前記ＨＰＦを介して接続され、前記保安器側の混在信号入出力部と前記保安器側の音声信号入出力部は第１の前記ＬＰＦを介して接続され、前記屋内側の混在信号入出力部と前記屋内側の音声信号入出力部は、第２の前記ＬＰＦと前記信号制限手段とを介して接続されていることを特徴としたものである。
【００１２】
請求項３の発明は、請求項１または２の発明において、前記保安器側及び屋内側の混在信号入出力部と、前記保安器側及び屋内側の音声信号入出力部と、前記分離結合手段とを結ぶ信号線は、それぞれ２本の信号線であって、前記信号制限手段をダイオードまたはバリスタまたはトランジスタを用いて構成し、前記分離結合手段と該屋内側の音声信号入出力部とを結ぶ、２本の信号線のいずれか一方、または両方に、前記信号制限手段のダイオードまたはバリスタまたはトランジスタを設けたことを特徴としたものである。
【００１３】
請求項４の発明は、請求項１ないし３のいずれか１の発明において、前記信号制限手段は、ノーリンギング通信に使用される最大信号レベル（０ｄＢｍ）の通過を制限するものであることを特徴としたものである。
【００１４】
請求項５の発明は、請求項１ないし４のいずれか１の発明において、前記保安器側及び屋内側の混在信号入出力部と、前記分離結合手段と、前記保安器側及び屋内側の音声帯域信号入出力部と、前記信号制限手段とは、１つの防滴ケースに収納されていることを特徴としたものである。
【００１５】
請求項６の発明は、ＸＤＳＬ通信用のＸＤＳＬ信号と音声帯域信号とが混在した混在信号が利用される電話回線の保安器と屋内配線の間に設置される回線網制御装置の屋外配線方法であって、前記電話回線の保安器と屋内配線の間に前記混在信号をＸＤＳＬ信号と音声帯域信号とに分離し、且つ該分離したＸＤＳＬ信号と音声帯域信号を結合する分離結合手段を接続し、該分離結合手段により分離された音声帯域信号の信号線に対して前記回線網制御装置を接続し、該信号線の前記回線網制御装置より屋内配線側で、且つ前記分離結合手段より保安器側に所定電圧以下の音声帯域信号の通過を制限する信号制限手段を接続してなることを特徴としたものである。
【００１６】
請求項７の発明は、請求項１ないし５のいずれか１に記載のＸＤＳＬ通信アダプタと，回線網制御装置とを有し、該ＸＤＳＬ用通信アダプタの前記保安器側及び屋内側音声帯域信号入出力部に前記回線網制御装置を接続することにより、屋内側の混在信号入出力部に接続される機器における音声帯域信号とＸＤＳＬ信号の利用を可能とするとともに、電話回線を介して該回線網制御装置に接続する機器の遠隔監視を可能とすることを特徴としたものである。
【００１７】
請求項８の発明は、請求項７に記載の遠隔監視システムと、ガスメータとを有し、ガスの保安、検針に係わる管理を遠隔で可能とすることを特徴としたものである。
【００１８】
【発明の実施の形態】
図１は、本発明のＸＤＳＬ用通信アダプタが適用されるシステムを説明するための図である。ＸＤＳＬ用通信アダプタ１０は、交換局側混在信号入出力部を構成する（入１／入２）端子１１、屋内側混在信号入出力部を構成する（出１／出２）端子１２を有し、（入１／入２）端子１１に交換局側の信号線を接続し、（出１／出２）端子１２に屋内側の信号線を接続する。なお電話回線の信号線は周知のように２芯で構成されており、それぞれ入１、入２にまたは出１、出２に接続されている。また、交換局（図示せず）とＸＤＳＬ用通信アダプタ１０の間には保安器８０が介在している。
【００１９】
さらに、ＸＤＳＬ用通信アダプタ内１０では、（入１／入２）端子１１は、２つに分岐する配線に接続されており、その１つがＸＤＳＬ信号のみ通過を許容するＨＰＦ（ハイパスフィルタ）１５の交換局側に接続され、他の１つが第１ＬＰＦ（ローパスフィルタ）１６の交換局側に接続されている。第１ＬＰＦ１６の屋内側は、交換局側音声信号入出力手段である（Ｌ１／Ｌ２）端子１３に接続されている。また屋内側音声信号入出力手段である（Ｔ１／Ｔ２）端子１４が音声帯域信号のみの通過を許容する第２ＬＰＦ１７の交換局側に接続されており、後述する信号制限手段１８が（Ｔ１／Ｔ２）端子１４と第２ＬＰＦ１７との間に介在している。第２ＬＰＦ１７の屋内側は、合流点ＪにおいてＨＰＦ１５の屋内側配線に接続され、該配線は、（出１／出２）端子１２に接続されている。
【００２０】
以上のように、ＸＤＳＬ用通信アダプタ１０は、屋外において保安器８０と屋内引き込み線との間に接続される。また、ＸＤＳＬ用通信アダプタ１０の（Ｌ１／Ｌ２）端子１３及び（Ｔ１／Ｔ２）１４端子には、回線網制御装置（ＮＣＵ）２０の（Ｌ１／Ｌ２）端子２１及び（Ｔ１／Ｔ２）端子２２がそれぞれ信号線にて接続されている。
【００２１】
この回線網制御装置２０は、少なくともモデム２３等の回線網制御部を有し、アナログ通信網を介してデータ通信を行う機能を備える。さらに回線網制御装置２０は、外部機器を接続するための機器接続端子２４を有し、当該端子２４にガスメータ３０等の被監視機器を接続することが可能である。
【００２２】
このようにして、屋内配線に接続された信号線は、周知のように、屋内にてローゼット（図示せず）等を介してスプリッタ（ＰＯＴＳスプリッタ）４０に接続され、スプリッタ４０内のＨＰＦ４１及びＬＰＦ４２により、ＸＤＳＬ帯域信号と音声帯域信号とに分離され、例えば、ＨＰＦ４１からの信号線がＸＤＳＬモデム５０に接続され、ＬＰＦ４２からの信号線が電話機６０に接続される。
【００２３】
次に、図１を用いて本システムにおける信号の流れを説明する。ここでは、屋内の電話機６０を使用する場合について説明する。交換局より保安器８０を介して、ＸＤＳＬ帯域信号と音声帯域信号が混在した信号である混在信号がＸＤＳＬ用通信アダプタ１０の（入１／入２）端子１１に入力される。ＸＤＳＬ用通信アダプタ１０内では、前述のように２つに分岐された配線により、ＨＰＦ１５及び第１ＬＰＦ１６のそれぞれに混在信号が入力される。
【００２４】
ＨＰＦ１５に入力された混在信号は、音声帯域信号がカットされてＸＤＳＬ帯域信号のみとなり、前述の屋内側配線の合流点Ｊに出力される。一方、第１ＬＰＦ１６に入力された混在信号は、ＸＤＳＬ帯域信号がカットされ、音声帯域信号のみとなって（Ｌ１／Ｌ２）端子１３に出力される。ここでは、回線網制御装置２０は使用されていないので、音声帯域信号は単に回線網制御装置２０を通過して、再びＸＤＳＬ用通信アダプタ１０の（Ｔ１／Ｔ２）端子１４に入力される。（Ｔ１／Ｔ２）端子１４に入力された音声帯域信号は、第２ＬＰＦ１７を介して前述の配線の合流点Ｊに出力される。
【００２５】
また、後述するが信号制限手段１８は、屋内の電話機６０の使用中（オフフック時）は音声帯域信号の通過を許容している。このようにして、回線網制御装置２０を通過して配線の合流点に入力した音声帯域信号は、配線の合流点ＪにおいてＸＤＳＬ帯域信号と合成され、再び混在信号となって（出１／出２）端子１２に出力される。
【００２６】
（出１／出２）端子１２に出力された混在信号は屋内に入り、ＨＰＦ４１とＬＰＦ４２とを備えたＰＯＴＳスプリッタ４０により、再度ＸＤＳＬ帯域信号と音声帯域信号とに分離され、音声帯域信号は電話機６０に入力される。また、屋内側から出力される音声帯域信号は、上述した交換局側からの音声帯域信号と逆の経路にて交換局に送信されている。同様に、屋内側から発信されるＸＤＳＬ帯域信号は、交換局側からのＸＤＳＬ帯域信号と逆の経路にて交換局に送信される。
【００２７】
次に、回線網制御装置２０によるデータ通信を行う場合について説明する。ここでは、ノーリンギングサービスにより、着信して通信を開始する場合について説明する。回線網制御装置２０に音声帯域信号が到達するまでの信号経路は、上述の屋内の電話機６０を使用する場合と同じであるため、繰り返しの説明は省略する。
【００２８】
回線網制御装置２０のモデム２３では、音声帯域信号の緩やかな極性反転を監視し、緩やかな極性反転後に送られてくる選択信号が自己の信号に一致した場合、回線網制御装置２０にて閉ループを形成して、例えば電話回線を介して接続されたセンタ装置等からの信号に応答する。このとき、モデム２３の屋内側配線は接続されたままであり、屋内の電話機６０がオフフックされれば、その電話機６０により閉ループが形成され、速やかに交換局と電話機６０が接続されるよう構成されている。このように構成することにより、回線網制御装置２０が電話機６０の使用を妨げることはない。この場合、回線網制御装置２０において、回線網制御装置２０の通信中のデータは、屋内側に洩れているため、信号制御装置１８によってその影響を排除する。
【００２９】
図２は、信号制限手段の機能について説明するための図である。通常の場合にあっては、屋内の電話機６０は、オフフックされるまでは通話回路がスイッチ等により切り離されているので、データ通信に何ら影響しない。またベル等の着信用の回路構成もコンデンサＣ１を介しており、振幅の大きな交流電圧しか通過できず、同じくデータ通信に影響を及ぼさない。
【００３０】
しかし、屋内のスプリッタのＬＰＦ４２は、コイルＬ１，Ｌ２及びコンデンサＣ２による直列回路を構成しており、データ通信で使用する特定周波数域において直列共振を起こす可能性がある。データ通信に用いられた信号が特定周波数であって同回路で直列共振を起こした場合、同回路は０に近い抵抗となり同回路の２本の信号線は短絡状態となる。すると、同回路に並列に接続されている回線網制御装置２０のモデムにおいて電位差が無くなって電圧振幅を検出できなくなる。このときの通信信号を図３に示す。図３より明らかなようにノーリンギング通信における通信電圧波形は特定の周波数において減衰してしまい、回線網制御装置２０のモデムは特定周波数のデータをまったく受信できなくなり通信に障害が発生する。
【００３１】
このような通信障害を防止するために、本発明のＸＤＳＬ用通信アダプタは、回線網制御装置２０のモデム２３の屋内側で、かつ交換局側から入力したＸＤＳＬ帯域信号との合流点（屋内側からの信号については分岐点となる）Ｊの交換局側に信号制限手段１８を備える。信号制限手段１８は、ダイオード等により構成されており、所定の電圧以下の信号の通過を制限する。すなわち、回線網制御装置２０の動作によって使用される音声帯域信号は、信号制限手段１８を通過することはなく、屋内側に漏れて屋内のＬＰＦ４２により共振が起こることを防止することができる。このようにして、音声帯域におけるデータ通信の品質を向上させることができる。
【００３２】
一方、屋内の電話機６０がオフフックされて交換局との間に閉ループが形成されると、信号制限手段１８より屋内側の回路は該閉ループにより回路内の電圧が高い状態に維持され、すべての信号が信号制限手段１８を通過できるようになる。従って屋内の電話機６０等の通信機器により閉ループが形成された後は音声通話信号や屋内ＦＡＸの通信信号等はすべて信号制限手段１８を通過することができ、屋内の電話機６０の使用等に問題が生じることはない。
【００３３】
また、屋内の電話機６０のリンギング着信の際にも、リンギングの振幅は非常に大きく、信号制限手段１８の閾値電圧を上回るので、リンギング信号は信号制限手段１８を通過して電話機６０のベルが鳴動する。ベルが鳴動してユーザーがオフフックすれば、前述のように電話機６０による通話が可能になる。
【００３４】
以上のようにＸＤＳＬ用通信アダプタ１０の内部に信号制限手段１８を備えることにより、スプリッタ４０の直列共振を防止することができ、回線網制御装置２０におけるデータ通信を円滑に行うことができる。
【００３５】
ここで、ＸＤＳＬ用通信アダプタ１０の第２ＬＰＦ１７も回線網制御装置２０の通信に影響するが、第２ＬＰＦ１７は、ＸＤＳＬ用通信アダプタ用のＬＰＦであって、当然にデータ通信において共振を起こさないよう適宜設計される。一方、屋内のスプリッタ４０については、いかなる乗定数の回路が採用されているか確定できない為、通信障害の危険性を回避することは困難である。
【００３６】
また、混在信号の信号線に信号制限手段１８を備えるようにすると、ＸＤＳＬ帯域信号を遮断してしまうので、本実施例のように、（Ｔ１／Ｔ２）端子１４と第２ＬＰＦ１７との間に信号制限手段１８を設けるのが好適であり、また第２ＬＰＦ１７が共振を起こさないものであれば、第２ＬＰＦ１７と合流点Ｊとの間に設けることも可能である。
【００３７】
図４ないし図７は、信号制限手段１８の具体的な構成について説明するための図である。信号制限手段１８は前述のように、屋内側の回路が閉ループを形成するまでは、ノーリンギング通信に用いられる信号の通過を制限し、屋内通信機器のベルを鳴動させるリンギング信号の通過を許容するものであればよく、閉ループが形成された場合にはすべての信号の通過を許容する必要がある。閾値電圧はノーリンギング通信に用いられる信号以上であり、リンギング信号、閉ループ形成後の回路電圧以下であれば良い。本実施例ではノーリンギング通信の信号を制限するため、閾値電圧の基準を０ｄＢｍとした。この値は制限したい信号、回線レベルにより適宜設定すればよい。図４に示す例は、ダイオードを用いた信号制限手段を示すものである。周知のように電話回線においては、どちらの方向に電流ループが形成されるか不定なため、どちら向きにも信号制限が可能なように両方向にダイオードＤ１〜Ｄ４を配置する。またダイオードの閾値電圧は通常０．６〜０．７Ｖであり、本発明の制限レベルである０ｄＢｍを満たさないので、複数（２つ）直列に配置する。
【００３８】
以上の条件を満たせば、図５のような回路でもよい。また同様に、図６のようにバリスタＶを用いてもよく、この場合制限レベルが適宜設定でき、どちら向きの電流でも制限できるので、ひとつのバリスタＶを挿入するだけでよく、製造上好ましい。同様に図７のようにトランジスタＴ１，Ｔ２によっても本発明に適用する信号制限手段１８を構成することができる。
【００３９】
図８は、防滴ケースに収納したＸＤＳＬ用通信アダプタを示す図で、図８（Ａ）に防滴ケース１９の内部の正面概略図を示し、図８（Ｂ）に防滴ケース１９の外観正面図を示し、図８（Ｃ）にその外観下面図を示すものである。すなわち、上述したごとくのＸＤＳＬ用通信アダプタに必要とする構成のすべてを防滴ケース１９に収納する。このような構成の通信アダプタ１０は、屋外にて容易に工事を行うことができる。
【００４０】
以上のようにＸＤＳＬ用通信アダプタ１０内にすべての構成を収納することにより良好な工事性を得ることができるが、上述のようにＸＤＳＬ用通信アダプタ１０の分離結合手段と回線網制御装置２０との間に信号制限手段１８を設けるものであれば本件発明の効果を得ることができ、例えば、ＸＤＳＬ用通信アダプタ１０の（Ｔ１／Ｔ２）端子１４と回線網制御装置２０の間に信号制限手段１８を設けてもよく、回線網制御装置２０内に信号制限手段１８を設けても良い。
【００４１】
上述したごとくのＸＤＳＬ用通信アダプタ１０と、回線網制御装置２０とを有し、ＸＤＳＬ用通信アダプタ１０の保安器８０側及び屋内側音声帯域信号入出力部に回線網制御装置２０を接続したシステムによって、屋内側の混在信号入出力部に接続される機器における音声帯域信号とＸＤＳＬ信号の利用を可能とするとともに、電話回線を介して回線網制御装置２０に接続する機器の遠隔監視を可能とする遠隔監視システムを提供することができる。
【００４２】
さらに上記の遠隔監視システムの回線網制御装置２０にガスメータ３０を接続し、ガスの保安、検針に係わる管理を、遠隔の管理センタ等で実行可能とするガス保安検針用システムを提供することができる。
【００４３】
【発明の効果】
以上の説明から明らかなように、本発明によれば、ＸＤＳＬ用通信アダプタ１０に信号制御手段１８を備えることにより、屋内のスプリッタ４０との直列共振を防止し、ＸＤＳＬ用通信アダプタ１０に接続される回線制御装置２０の通信障害を防止することができる。また、全ての構成を防滴ケース１９内に内蔵することにより、屋外にて容易に工事が行うことができるようにすることができる。
【００４４】
また本発明により、ガス利用者宅の回線設備に左右されることなく、安定して集中監視を行うことができる遠隔監視システム、及びガス保安検針用システムを提供することができる。
【００４５】
【図面の簡単な説明】
【図１】本発明のＸＤＳＬ用通信アダプタが適用されるシステムの全体像を説明するための図である。
【図２】信号制限手段の機能について説明するための図である。
【図３】ノーリンギング通信電圧波形の減衰について説明するための図である。
【図４】信号制限手段の具体的な構成の一例について説明するための図である。
【図５】信号制限手段の具体的な構成の他の例について説明するための図である。
【図６】信号制限手段の具体的な構成の更に他の例について説明するための図である。
【図７】信号制限手段の具体的な構成の更に他の例について説明するための図である。
【図８】防滴ケースに収納した本発明のＸＤＳＬ用通信アダプタを示す図である。
【図９】本願の出願人が提案した通信アダプタの構成を説明するための図である。
【符号の説明】
１０…ＸＤＳＬ用通信アダプタ、１１…（入１／入２）端子、１２…（出１／出２）端子、１３…（Ｌ１／Ｌ２）端子、１４…（Ｔ１／Ｔ２）端子、１５…ＨＰＦ（ハイパスフィルタ）、１６…第１ＬＰＦ（ローパスフィルタ）、１７…第２ＬＰＦ、１８…信号制限手段、１９…防滴ケース、２０…回線網制御装置（ＮＣＵ）、２１…回線網制御装置（ＮＣＵ）の（Ｌ１／Ｌ２）端子、２２…回線網制御装置（ＮＣＵ）の（Ｔ１／Ｔ２）端子、２３…モデム、２４…機器接続端子、３０…ガスメータ、４０…スプリッタ（ＰＯＴＳスプリッタ）、４１…ＨＰＦ、４２…ＬＰＦ、５０…ＸＤＳＬモデム、６０…電話機、７０…ＰＣ端末、８０…保安器、Ｄ１〜Ｄ４…ダイオード、Ｖ…バリスタ、Ｔ１，Ｔ２…トランジスタ。
【図１】
2004096669.tif 000003
【図２】
2004096669.tif 000004
【図３】
2004096669.tif 000005
【図４】
2004096669.tif 000006
【図５】
2004096669.tif 000007
【図６】
2004096669.tif 000008
【図７】
2004096669.tif 000009
【図８】
2004096669.tif 000010
【図９】
2004096669.tif 000011